(57)【要約】【課題】チューブを有しないポンプディスペンサに詰替容器を簡単に取り付けて、当該詰替容器内の液体を容易に注出することのできる液体注出容器を提供すること。【解決手段】液体注出容器箋１は、ポンプディスペンサ２と詰替容器３とを備え、ポンプディスペンサ２は挿入突起２６４を備え、詰替容器３に挿入されるチューブを有さず、詰替容器３は、挿入突起２６４が挿入される挿入口３２を備え、挿入突起２６４は挿入口３２に挿入される側を上側にして配されている。【選択図】図１
2020066432.tif 000002
【特許請求の範囲】
【請求項１】
ポンプディスペンサと詰替容器とを備える液体注出容器であって、
前記ポンプディスペンサは、挿入突起を備え、前記詰替容器に挿入されるチューブを有さず、
前記詰替容器は、前記挿入突起が挿入される挿入口を備え、
前記挿入突起は前記挿入口に挿入される側を上側にして配されていることを特徴とする、液体注出容器。
【請求項２】
前記ポンプディスペンサは、押圧操作によって下方の液体を上方のノズルから排出するものであり、
前記ノズルが前記挿入突起よりも上方に設けられていることを特徴とする、請求項１に記載の液体注出容器。
【請求項３】
前記ノズルは、前記ポンプディスペンサの前記詰替容器とは逆の側面に設けられていることを特徴とする、請求項２に記載の液体注出容器。
【発明の詳細な説明】
【技術分野】
【０００１】
本発明は、ポンプディスペンサを用いて容器内の液体を注出する液体注出容器に関する。
【背景技術】
【０００２】
従来、シャンプー、リンス、洗剤等が充填された容器にポンプディスペンサを取り付けて、容器内の液体を注出する液体注出容器が知られている。また、当該容器を取替えてポンプディスペンサを再利用することも行われている。（以下、取替え可能な容器を「詰替容器」と呼ぶ。）
【０００３】
ポンプディスペンサは、一般的に、容器の底部から液体を注出するためのチューブを備えている。このため、容器を取替えてポンプディスペンサを再利用しようとする際に、当該チューブに付着している液体が衣類等に付着してしまう、床等に飛散してしまう、取替後の詰替容器内の液体と混合してしまい液体の品質が劣化してしまう等の問題があった。
【０００４】
このような問題を解決するため、特許文献１には、ポンプディスペンサに挿入突起を設け、当該挿入突起と詰替容器の取出口との間に密着機構を設けることで、ポンプディスペンサにチューブを設けずに詰替容器内の液体を注出可能とする液体注出容器が記載されている。また、特許文献２には、下向きに吊り下げられた詰替容器の下部の取出口にポンプを取り付け、当該ポンプを指で両側から押圧することで、詰替パウチの内容物を注出することが記載されている。
【先行技術文献】
【特許文献】
【０００５】
【特許文献１】特開２０１５−２１２１６８号公報
【特許文献２】特開２０１３−６７４３３号公報
【発明の概要】
【発明が解決しようとする課題】
【０００６】
しかしながら、特許文献１に記載の密着液体注出容器は、詰め替えの際にポンプディスペンサと詰替容器との間に空気が流入してしまって液体がスムーズに注出されなくなることのないように、工夫が必要であった。
【０００７】
また、特許文献２に記載のポンプは、上側から押圧して液体を注出できるポンプディスペンサに比較して操作性が悪いという問題があった。また、壁に詰替容器を吊り下げておくためのフックを取り付ける必要があり、壁の材質等によってはフックを安定的に取り付けることができないという問題があった。
【０００８】
本発明は、チューブを有しないポンプディスペンサに詰替容器を簡単に取り付けて、当該詰替容器内の液体を容易に注出することのできる液体注出容器を提供することを課題とする。
【課題を解決するための手段】
【０００９】
本発明の液体注出容器は、
ポンプディスペンサと詰替容器とを備える液体注出容器であって、
前記ポンプディスペンサは、挿入突起を備え、前記詰替容器に挿入されるチューブを有さず、
前記詰替容器は、前記挿入突起が挿入される挿入口を備え、
前記挿入突起は前記挿入口に挿入される側を上側にして配されていることを特徴とする。
【００１０】
この特徴によれば、ポンプディスペンサの挿入突起を詰替容器の挿入口に挿入する際に挿入突起と挿入口との間に空気が流入したとしても、当該空気は時間の経過とともに詰替容器内の液体の上方に移動し、挿入突起と挿入口との間を液体で満たすことができるため、チューブを有しないポンプディスペンサに詰替容器を簡単に取り付けて、当該詰替容器内の液体を容易に注出することができる。
【００１１】
本発明の液体注出容器は、
前記ポンプディスペンサは、押圧操作によって下方の液体を上方のノズルから排出するものであり、
前記ノズルが前記挿入突起よりも上方に設けられていることを特徴とする。
【００１２】
この特徴によれば、ポンプディスペンサを押圧操作することで、詰替容器の挿入口から挿入突起を介してポンプディスペンサに供給される液体を、上方のノズルからスムーズに排出することができる。
【００１３】
本発明の液体注出容器は、
前記ノズルは、前記ポンプディスペンサの前記詰替容器とは逆の側面に設けられていることを特徴とする。
【００１４】
この特徴によれば、ノズルの下に無理なく手をかざして、当該ノズルから液体を手のひらの上に容易に注出することができる。
【発明の効果】
【００１５】
本発明によれば、ポンプディスペンサの挿入突起を詰替容器の挿入口に挿入する際に挿入突起と挿入口との間に空気が流入したとしても、当該空気は時間の経過とともに詰替容器内の液体の上方に移動し、挿入突起と挿入口との間を液体で満たすことができるため、チューブを有しないポンプディスペンサに詰替容器を簡単に取り付けて、当該詰替容器内の液体を容易に注出することができる。
【図面の簡単な説明】
【００１６】
【図１】図１は、液体注出容器の正面図である。
【図２】図２は、ポンプディスペンサの上面図である。
【図３】図３は、ポンプディスペンサの詰替容器連結部の縦断面図である。
【図４】図４は、詰替容器の挿入口の縦断面図である。
【図５】図５は、ポンプディスペンサと詰替容器との連結部分の縦断面図である。
【発明を実施するための形態】
【００１７】
以下、本発明の実施形態を図面を参照して詳細に説明する。図１は、本発明の実施形態に係る液体注出容器１の正面図である。同図に示すように、液体注出容器１は、ポンプディスペンサ２と、詰替容器３と、を備えている。
【００１８】
図２は、ポンプディスペンサ２の上面図である。ポンプディスペンサ２は例えば合成樹脂で形成されている。ポンプディスペンサ２は、直方体形状の台座部２１と、当該台座部２１の一端部から上方に延びる円柱状の本体部２２と、を備えている。当該台座部２１と本体部２２とは、連通する内部空間（不図示）を有し、当該内部空間にシャンプー、リンス、洗剤等の液体が充填される。なお、台座部２１の形状は直方体形状に限定されることはなく、例えば台座部２１を上面視略瓢箪形状とし、面積の小さい方の円の上面に本体部２２を設けてもよい。また、本体部２２は円柱形状に限らず、例えば、角柱形状であっても、瓢箪形状であってもよい。
【００１９】
本体部２２の上端部には、上側から押圧されることによって台座部２１及び本体部２２の内部空間に負圧を与えるポンプ２３が設けられている。ポンプ２３の側面には、外側に水平に延びるノズル２４が設けられている。なお、当該ポンプ２３には、ポンプディスペンサ２の底部から液体を注出するためのチューブは設けられていない。
【００２０】
本体部２２の側面のうちノズル２４が延びる側とは反対側の側面には、詰替容器３を支持するための支持部２５が設けられている。図２に示すように、支持部２５は上面視リング形状を有しており、当該リング内に詰替容器３を挿通してリングで支持する、或いはリングに立てかけておくことができる。なお、支持部２５の形状はこれに限定されるものではなく、例えば、詰替容器３を挟持可能なクリップ状のものであってもよい。
【００２１】
支持部２５の下方かつ台座部２１の上面には、詰替容器３を連結する詰替容器連結部２６が設けられている。図３は、詰替容器連結部２６の縦断面図である。詰替容器連結部２６は、円形の底面を有し内周面に内ネジ２６２ａを有する内ネジキャップ２６２と、当該内ネジキャップ２６２の底面の中心部を貫通し台座部２１と連通する筒状の挿入突起２６４と、を備えている。挿入突起２８４は、詰替容器３に挿入して詰替容器３内の液体をポンプディスペンサ２側へ流すためのものである。なお、詰替容器３に挿入する際に空気を流入させることなくスムーズに挿入できるように、挿入突起２６４の形状を先端窄まり形状としてもよい。内ネジキャップ２６２の底面上には、挿入突起２６４の外周に沿ってパッキン２６６が設けられている。
【００２２】
詰替容器３は例えばパウチ容器であり、アルミニウム、プラスチックフィルム等の、体積可変で空気を通さない素材で形成されている。詰替容器３の一端には、ポンプディスペンサ２の挿入突起２６４が挿入される筒状の挿入口３２が設けられている。図４は、挿入口３２の縦断面図である。挿入口３２の外周面には、内ネジキャップ２６２の内ネジ２６２ａと羅合する外ネジ３２ａが設けられている。当該詰替容器３にシャンプー、リンス、洗剤等の液体が工場で充填され、当該液体が詰替容器３の外部に流出しないように、挿入口３２に内ネジキャップ（不図示）が取り付けられて市場に出荷される。
【００２３】
図５は、ポンプディスペンサ２の挿入突起２８４を詰替容器３の挿入口３２に挿入してポンプディスペンサ２と詰替容器３とを連結した場合の、ポンプディスペンサ２と詰替容器３との連結部分の縦断面図である。同図に示すように、ポンプディスペンサ２の内ネジキャップ２６２の内ネジ２６２ａと詰替容器３の挿入口３２の外ネジ３２ａとが羅合し、詰替容器３の挿入口３２の端部３２ｂがポンプディスペンサ２のパッキン２８６に当接している。
【００２４】
内部に液体が充填された詰替容器３をポンプディスペンサ２に取り付ける際には、詰替容器３から液体が流出しないように、詰替容器３の挿入口３２を上側にして挿入口３２の内ネジキャップを取り外す。そして、挿入突起２６４のうち挿入口３２に挿入される側が下側を向くようにポンプディスペンサ２を配置した状態で、詰替容器３をポンプディスペンサ２の支持部２５に挿通する。そして、詰替容器３の挿入口３２の外ネジ３２ａとポンプディスペンサ２の内ネジキャップ２６２の内ネジ２６２ａとを羅合させる。これにより、パッキン２６６が詰替容器３の挿入口３２の端部３２ｂに当接し、挿入突起２６４が挿入口３２に挿入され、液体注出容器１が完成する。その後、液体注出容器１を逆さまにして図１に示す配置とし、台座部２１を洗面台や風呂場等に載置して液体注出容器１を使用する。
【００２５】
使用時には、図１に示すように、挿入突起２６４は挿入口３２に挿入される側が上側に配され、詰替容器３は挿入突起２６４の上側に配置される。これにより、挿入突起２６４の上側に配置されている詰替容器３内の液体は挿入突起２６４内に流入する。例え詰替容器３をポンプディスペンサ２に取り付る際に挿入突起２６４と挿入口３２との間に空気が流入したとしても、液体は下方に、空気は上方に移動するため、時間の経過により挿入突起２６４と挿入口３２との間は液体で満たされる。詰替容器３は体積可変であるため、ポンプディスペンサ２のポンプ２３を押圧して内部空間に負圧を与えることで、詰替容器３内の液体はポンプディスペンサ２の挿入突起２６４、台座部２１、本体部２２へと順次移動し、上方のノズル２４から注出される。したがって、チューブを有しないポンプディスペンサ２に詰替容器３を簡単に取り付けて、当該詰替容器３内の液体を容易に注出することができる。
【００２６】
また、ノズル２４は、ポンプディスペンサ２において詰替容器３（及び支持部２５）が配置されている側とは逆の側面に設けられているため、ノズル２４の下に無理なく手をかざすことができ、当該ノズル２４から液体を手のひらの上に容易に注出することができる。
【産業上の利用可能性】
【００２７】
ポンプディスペンサにチューブを備えることなく、ポンプディスペンサへの詰替容器の取付時に空気の流入が生じても、詰替容器内の液体を容易に注出することのできる液体注出容器であり、チューブに起因する詰替時の問題がないものである。多くの液体製品生産者による利用が期待される。
【符号の説明】
【００２８】
１        液体注出容器
２        ポンプディスペンサ
２１      台座部
２２      円柱部
２３      ポンプ
２４      ノズル
２５      支持部
２６      詰替容器連結部
２６２    内ネジキャップ
２６２ａ  内ネジ
２６４    挿入突起
３        詰替容器
３２      挿入口
３２ａ    外ネジ
３２ｂ    端部
【図１】
2020066432.tif 000003
【図２】
2020066432.tif 000004
【図３】
2020066432.tif 000005
【図４】
2020066432.tif 000006
【図５】
2020066432.tif 000007